(57)【要約】【課題】被装着部材の装着部材に対する高精度な位置決めを簡易かつ低コストで維持することが可能な装着位置決め構造及びその装着位置決め構造を有する操作部並びにその操作部を備えた電子機器を提供すること。【解決手段】被装着部材１１２を装着部材１１１に対して位置決めする装着位置決め構造１０の位置決め部１１、１２、１３、１４を前記装着部材そのものに設け、前記被装着部材を前記装着部材に直接装着して前記位置決め部により位置決めする。これにより、従来のように被装着部材を支持する支持部材を介して装着部材に装着する必要が無く、被装着部材の装着部材に対する組立ばらつきのみを管理するのみで良いので、被装着部材の装着部材に対する高精度な位置決めを簡易かつ低コストで維持することができる。【選択図】図４
2008003304.tif 000002
【特許請求の範囲】
【請求項１】
被装着部材を装着部材に対して位置決めする装着位置決め構造であって、
前記装着部材そのものに位置決め部を設け、前記被装着部材を前記装着部材に直接装着して前記位置決め部により位置決めすることを特徴とする装着位置決め構造。
【請求項２】
前記位置決め部は、前記被装着部材が有する１つの角部を位置決め用角部として位置決めすることを特徴とする請求項１に記載の装着位置決め構造。
【請求項３】
前記位置決め部は、前記位置決め用角部を構成する２つの面にそれぞれ当接して位置決めする当接面を備えていることを特徴とする請求項２に記載の装着位置決め構造。
【請求項４】
前記位置決め部は、前記位置決め用角部の対角に位置する角部を押圧用角部として押圧して位置決めすることを特徴とする請求項２又は３に記載の装着位置決め構造。
【請求項５】
前記位置決め部は、前記押圧用角部を構成する２つの面をそれぞれ押圧して位置決めする突起を備えていることを特徴とする請求項４に記載の装着位置決め構造。
【請求項６】
前記被装着部材は、矩形状に形成されており、前記位置決め部は、前記位置決め用角部に隣接する２つの角部を構成する４つの面にそれぞれ所定間隔を空けて対向する対向面を備えていることを特徴とする請求項２〜４の何れか一項に記載の装着位置決め構造。
【請求項７】
表示手段が装着される操作パネルを備えた操作部であって、
請求項１〜６の何れか一項に記載の装着位置決め構造を備えたことを特徴とする操作部。
【請求項８】
請求項７に記載の操作部を備えたことを特徴とする電子機器。
【発明の詳細な説明】
【技術分野】
【０００１】
本発明は、被装着部材を装着部材に対して位置決めする装着位置決め構造及びその装着位置決め構造を有する操作部並びにその操作部を備えた電子機器に関する。
【背景技術】
【０００２】
一般に、液晶表示パネルを有する電子機器は、ユーザが液晶表示パネルに表示される全情報を視認することができるようにするために、液晶表示パネルがケースに設けられている表示窓に対し正確に位置決めされている必要がある。このため、例えば、特許文献１によれば、液晶表示パネルを支持する支持板（支持部材）に位置決め点を設けると共に、液晶表示パネルに上記位置決め点に対応する位置決め点を設ける。そして、液晶表示パネルを支持板に各位置決め点を合わせて位置決めして直接取り付け、この液晶表示パネルが取り付けられた支持板を表示窓枠を有するケースに固定している。
【０００３】
また、特許文献２によれば、液晶表示パネルを固定する固定板（支持部材）に位置決め孔を設けると共に、前ケースに上記位置決め孔に挿入可能なボスを設ける。そして、液晶表示パネルを固定板に固定し、この液晶表示パネルが固定された固定板を後ケースに仮固定し、この固定板が仮固定された後ケースに表示窓を有する前ケースを被せて位置決め孔にボスを挿入して固定している。また、特許文献３によれば、液晶表示パネルを基台に固定し、この液晶表示パネルが固定された基台をＬＣＤカバー（支持部材）に固定し、この基台が固定されたＬＣＤカバーを基板に遊びを持って固定し、ＬＣＤカバーの外周縁に外装カバーの表示窓の内周縁を嵌め込み固定している。
【０００４】
【特許文献１】特開平６−３６５５号公報
【特許文献２】実開平５−１４９８４号公報
【特許文献３】特開２００４−２５２１８５号公報
【発明の開示】
【発明が解決しようとする課題】
【０００５】
上述した各文献に記載の液晶表示パネルは、支持部材に一旦固定支持され、この液晶表示パネルが固定支持された支持部材が、電子機器のケースに固定支持されている。従って、液晶表示パネルのケースに対する高精度な位置決めを維持するには、液晶表示パネルの支持部材に対する組立ばらつきと、支持部材のケースに対する組立ばらつきの両者を管理する必要があり、手間やコストが掛かっている。
【０００６】
本発明は、上記のような種々の課題に鑑みなされたものであり、その目的は、被装着部材の装着部材に対する高精度な位置決めを簡易かつ低コストで維持することが可能な装着位置決め構造及びその装着位置決め構造を有する操作部並びにその操作部を備えた電子機器を提供することにある。
【課題を解決するための手段】
【０００７】
上記目的達成のため、本発明の装着位置決め構造では、被装着部材を装着部材に対して位置決めする装着位置決め構造であって、前記装着部材そのものに位置決め部を設け、前記被装着部材を前記装着部材に直接装着して前記位置決め部により位置決めすることを特徴としている。これにより、従来のように被装着部材を支持する支持部材を介して装着部材に装着する必要が無く、被装着部材の装着部材に対する組立ばらつきのみを管理するのみで良いので、被装着部材の装着部材に対する高精度な位置決めを簡易かつ低コストで維持することができる。
【０００８】
また、前記位置決め部は、前記被装着部材が有する１つの角部を位置決め用角部として位置決めすることを特徴としている。これにより、被装着部材は位置決め用角部を構成する２つの面で位置決め固定されるので、被装着部材の位置決め精度を向上させることができる。また、前記位置決め部は、前記位置決め用角部を構成する２つの面にそれぞれ当接して位置決めする当接面を備えていることを特徴としている。これにより、位置決め部と位置決め用角部は面接触することになるので、被装着部材の位置決めを安定させることができる。
【０００９】
また、前記位置決め部は、前記位置決め用角部の対角に位置する角部を押圧用角部として押圧して位置決めすることを特徴としている。これにより、被装着部材は対角方向に両側から固定されるので、被装着部材の位置決めをより安定させることができる。また、前記位置決め部は、前記押圧用角部を構成する２つの面をそれぞれ押圧して位置決めする突起を備えていることを特徴としている。これにより、押圧時に突起の先端を潰して対角方向のばらつきを吸収することができるので、被装着部材の位置決め精度をより向上させることができる。また、前記被装着部材は、矩形状に形成されており、前記位置決め部は、前記位置決め用角部に隣接する２つの角部を構成する４つの面にそれぞれ所定間隔を空けて対向する対向面を備えていることを特徴としている。これにより、矩形状の被装着部材の位置決め用角部と押圧用角部を位置決め部の当接面と突起の間に嵌め込む際に、位置決め部の対向面が位置決め用角部に隣接する２つの角部を構成する４つの面を案内することになるので、被装着部材を位置決め部にスムーズに嵌め込むことができ、位置決めを更に安定的かつ高精度にすることができる。
【００１０】
上記目的達成のため、本発明の操作部は、表示手段が装着される操作パネルを備えた操作部であって、上記各装着位置決め構造を備えたことを特徴としている。また、上記目的達成のため、本発明の電子機器は、上記操作部を備えたことを特徴としている。これにより、上記各作用効果を奏する操作部又は電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係る装着位置決め構造を備えた電子機器である記録装置の外観構成の全体を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙に記録することができる機能を備えている。このインクジェット式プリンタ１００は、全体が略直方体状のハウジング１０１で覆われている。そして、ハウジング１０１の上面における前面側には本実施形態の装着位置決め構造１０（図２参照）を含む操作部１１０が配設され、前面における図示左側にはメモリカードスロット部１２０が配設され、上面における背面側には給紙部１３０が配設され、前面側には排紙部１４０が配設されている。
【００１３】
操作部１１０は、略矩形状の操作パネル（装着部材）１１１を備え、この操作パネル１１１の略中央部に操作状態等を表示するユニット化された液晶表示パネル（被装着部材）１１２が装着されている。このユニット化された液晶表示パネル１１２が、図２に示す装着位置決め構造１０により操作パネル１１１に装着位置決めされている。尚、この装着位置決め構造１０の詳細については後述する。そして、液晶表示パネル１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶表示パネル１１２を見て確認しながら各種のボタン１１３を操作することができるので、誤操作を防止することができる。
【００１４】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１５】
給紙部１３０は、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の両側に指を掛けてペーパーサポート１３２を開閉することができるので、用紙の差し入れを容易に行うことができ、また給紙口１３１内への埃の侵入を防止することができる。
【００１６】
排紙部１４０は、前方に向かって矩形状に開口した排紙口１４１を開閉する機能と、排紙される用紙を１枚もしくは複数枚スタックする機能を併せ持ったスタッカ１４２を備えている。このスタッカ１４２は、下端の回転軸を中心に図示矢印ｃ方向に回動可能に取り付けられている。ユーザは、インクジェット式プリンタ１００を使用又は不使用のときは、スタッカ１４２の上部に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００１７】
図２は、上記液晶表示パネル１１２等を上記操作パネル１１１に装着する前の状態を裏側から見た斜視図、図３は、図２の液晶表示パネル１１２等を表側から見た斜視図、図４は、液晶表示パネル１１２等を操作パネル１１１に装着した後の状態を裏側から見た平面図である。液晶表示パネル１１２は、図２及び図３に示すように、矩形板状に形成されており、外周面から裏面にかけてパネル枠１１２ａが一体形成され、このパネル枠１１２ａの裏面に電子部品１１２ｂが実装されたパネル用基板１１２ｃが貼付されている。そして、液晶表示パネル１１２から延びるフレキシブルフラットケーブル１１２ｄが、パネル用基板１１２ｃに実装されているコネクタ１１２ｅに接続されている。以上のように、液晶表示パネル１１２はユニット化されている。
【００１８】
このユニット化された液晶表示パネル１１２は、金属製のパネルフレーム１１４に嵌め込まれる。このパネルフレーム１１４は、ユニット化された液晶表示パネル１１２と略同寸法の箱状であって、前面１１４ａの一部及び背面の全部並びに側面１１４ｂの四隅１１４ｃが開放された箱状に形成されている。即ち、パネルフレーム１１４にユニット化された液晶表示パネル１１２を嵌め込むと、パネルフレーム１１４の側面１１４ｂの内側と液晶表示パネル１１２のパネル枠１１２ａの外周面とは密着され、パネルフレーム１１４とパネル枠１１２ａは固定される。そして、パネルフレーム１１４の前面１１４ａに液晶表示パネル１１２の表示画面１１２ｆ側のパネル枠１１２ａの前面が面支持される。
【００１９】
このとき、パネルフレーム１１４のフレーム側面四隅１１４ｃから液晶表示パネル１１２のパネル枠１１２ａの４つのパネル枠角部２１、２２、２３、２４が図４に示すように飛び出し、パネルフレーム１１４の底面１１４ａに開けられたパネル表示穴１１４ｄから液晶表示パネル１１２の表示画面１１２ｆが覗く。このようなパネルフレーム１１４は、矩形状の板金の４つの角を矩形状に切り離すと共に略中央部分を矩形状に打ち抜き、四辺を垂直上方に折り曲げる板金加工により製作される。尚、このとき、図２に示すように対向する２側面１１４ｂの中央上部には、操作パネル１１１にネジ止めする際のネジ受け部１１４ｅも板金加工される。
【００２０】
操作パネル１１１は、図２に示すように、略中央に液晶表示パネル１１２の表示画面１１２ｆが覗く矩形状の画面表示窓１１１ａが穿設されている。そして、画面表示窓１１１ａの四隅の近傍には、装着位置決め構造１０を構成する４つの位置決め用リブ（位置決め部）１１、１２、１３、１４がそれぞれ形成されている。また、画面表示窓１１１ａの対向する短辺の近傍には、パネルフレーム１１４のネジ受け部１１４ｅに対応するネジ固定部１１１ｂが突設されている。
【００２１】
各位置決め用リブ（図示右上部の位置決め用リブ（以下、第１位置決め用リブ１１という））、（図示左下部の位置決め用リブ（以下、第２位置決め用リブ１２という））、（図示左上部の位置決め用リブ（以下、第３位置決め用リブ１３という））、（図示右下部の位置決め用リブ（以下、第４位置決め用リブ１４という））は、Ｌ字の柱状であって液晶表示パネル１１２のパネル枠１１２ａの４つのパネル枠角部２１、２２、２３、２４が嵌め込み可能に形成されている。そして、操作パネル１１１の画面表示窓１１１ａに対する液晶表示パネル１１２の表示画面１１２ｆを位置決めする機能を有している。
【００２２】
一方、液晶表示パネル１１２のパネル枠１１２ａの４つのパネル枠角部２１、２２、２３、２４は、略角柱状に形成されており、図２に示す右上部のパネル枠角部２１は位置決め用の角部（以下、位置決め用角部２１という）として機能し、この位置決め用角部２１の対角に位置するパネル枠角部２２は押圧用の角部（以下、押圧用角部２２という）として機能する。
【００２３】
即ち、図４に示すように、位置決め用角部２１を構成する外側の２面（以下、位置決め用角面２１ａ、２１ｂという）は、第１位置決め用リブ１１の内側の２面（以下、第１位置決め用リブ面１１ａ、１１ｂという）に当接される。ここで、２つの位置決め用角面２１ａ、２１ｂは直交し、２つの第１位置決め用リブ面１１ａ、１１ｂも直交している。従って、位置決め用角面２１ａは第１位置決め用リブ面１１ａと面接触で当接すると共に、位置決め用角面２１ｂは第１位置決め用リブ面１１ｂと面接触で当接することになるので、ユニット化された液晶表示パネル１１２は操作パネル１１１に対し安定的に位置決め固定される。これにより、操作パネル１１１の画面表示窓１１１ａに対する液晶表示パネル１１２の表示画面１１２ｆを高精度に位置決めすることができる。
【００２４】
また、押圧用角部２２を構成する外側の２面（以下、押圧用角面２２ａ、２２ｂという）は、第２位置決め用リブ１２の内側の２面（以下、第２位置決め用リブ面１２ａ、１２ｂという）に垂直にそれぞれ形成されている押圧用突起１５ａ、１５ｂに押圧される。ここで、２つの第２位置決め用リブ面１２ａ、１２ｂは直交し、かつ第２位置決め用リブ面１２ａと第１位置決め用リブ面１１ａ及び第２位置決め用リブ面１２ｂと第１位置決め用リブ面１１ｂは平行である。従って、対角に位置する位置決め用角面２１ａ、２１ｂと押圧用角面２２ａ、２２ｂは、第１位置決め用リブ面１１ａ、１１ｂと第２位置決め用リブ面１２ａ、１２ｂに形成されている押圧用突起１５ａ、１５ｂとに挟み込まれて固定されることになるので、ユニット化された液晶表示パネル１１２は操作パネル１１１に対し安定的に位置決め固定される。これにより、操作パネル１１１の画面表示窓１１１ａに対する液晶表示パネル１１２の表示画面１１２ｆを高精度に位置決めすることができる。
【００２５】
更に、この押圧時に押圧用突起１５ａ、１５ｂの先端が押圧用角面２２ａ、２２ｂで潰れるようにすることにより、位置決め用角面２１ａ、２１ｂと押圧用角面２２ａ、２２ｂとの距離と、第１位置決め用リブ面１１ａ、１１ｂと第２位置決め用リブ面１２ａ、１２ｂとの距離とにばらつきが生じていたとしても、そのばらつきを吸収して操作パネル１１１の画面表示窓１１１ａに対する液晶表示パネル１１２の表示画面１１２ｆをより高精度に位置決めすることができる。尚、押圧用突起１５ａ、１５ｂを第２位置決め用リブ面１２ａ、１２ｂに形成せずに、第２位置決め用リブ面１２ａ、１２ｂを直交するように形成して、当該第２位置決め用リブ面１２ａ、１２ｂが押圧用角面２２ａ、２２ｂに直接的に面接触して押圧するようにしても良い。
【００２６】
また、液晶表示パネル１１２のパネル枠１１２ａの図２に示す左上部及び右下部のパネル枠角部２３、２４は、案内用の角部（以下、案内用角部２３、２４という）として機能する。即ち、図４に示すように、案内用角部２３、２４を構成する外側の４面（以下、案内用角面２３ａ、２３ｂ、２４ａ、２４ｂという）は、第３及び第４位置決め用リブ１３、１４の内側の４面（以下、第３及び第４位置決め用リブ面１３ａ、１３ｂ、１４ａ、１４ｂという）にそれぞれ所定間隔を空けて対向する。ここで、２つの案内用角面２３ａ、２３ｂは直交し、２つの第３位置決め用リブ面１３ａ、１３ｂも直交しており、また、２つの案内用角面２４ａ、２４ｂは直交し、２つの第４位置決め用リブ面１４ａ、１４ｂも直交している。
【００２７】
従って、液晶表示パネル１１２のパネル枠１１２ａの位置決め用角面２１ａ、２１ｂと押圧用角面２２ａ、２２ｂを、第１位置決め用リブ面１１ａ、１１ｂと第２位置決め用リブ面１２ａ、１２ｂに形成されている押圧用突起１５ａ、１５ｂとの間に嵌め込むとき、第３位置決め用リブ面１３ａ、１３ｂと第４位置決め用リブ面１４ａ、１４ｂが、案内用角面２３ａ、２３ｂと案内用角面２４ａ、２４ｂを案内することになるので、上記嵌め込み動作をスムーズに行うことができる。以上により、図４に示すように、液晶表示パネル１１２のパネル枠１１２ａの位置決め用角部２１及び押圧用角部２２は、第１及び第２位置決め用リブ１１、１２により押え込まれることになるので、操作パネル１１１の画面表示窓１１１ａに対する液晶表示パネル１１２の表示画面１１２ｆを高精度かつ安定的に位置決めすることができる。
【００２８】
このような構成において、ユニット化された液晶表示パネル１１２を操作パネル１１１に装着する方法について説明する。図２に示すように、先ず、ユニット化された液晶表示パネル１１２、パネルフレーム１１４及び操作パネル１１１を裏返す。そして、ユニット化された液晶表示パネル１１２のパネル枠１１２ａの４つのパネル枠角部（位置決め用角部２１、押圧用角部２２、案内用角部２３、２４）が、パネルフレーム１１４のフレーム側面四隅１１４ａから飛び出るように、ユニット化された液晶表示パネル１１２をパネルフレーム１１４内に挿入する。このとき、ユニット化された液晶表示パネル１１２のパネル枠１１２ａの外周面は、パネルフレーム１１４の側面１１４ｂの内側とは密着した状態にある。即ち、ユニット化された液晶表示パネル１１２は、パネルフレーム１１４内に嵌め込まれて固定された状態にある。
【００２９】
次に、ユニット化された液晶表示パネル１１２のパネル枠１１２ａの４つのパネル枠角部（位置決め用角部２１、押圧用角部２２、案内用角部２３、２４）が、操作パネル１１１の４つの位置決め用リブ（第１位置決め用リブ１１、第２位置決め用リブ１２、第３位置決め用リブ１３、第４位置決め用リブ１４）にそれぞれ収まるように、ユニット化された液晶表示パネル１１２が嵌め込まれたパネルフレーム１１４のネジ受け部１１４ｅを、操作パネル１１１のネジ固定部１１１ｂ上に載置する。
【００３０】
このとき、案内用角部２３、２４が第３及び第４位置決め用リブ１３、１４に案内されて、位置決め用角部２１と押圧用角部２２が第１位置決め用リブ１１と第２位置決め用リブ１２の押圧用突起１５ａ、１５ｂとの間に嵌め込まれる。そして、押圧用角部２２は第２位置決め用リブ１２の押圧用突起１５ａ、１５ｂに押圧されて、位置決め用角部２１が第１位置決め用リブ１１に当接するので、ユニット化された液晶表示パネル１１２は、位置決め用角面２１ａ、２１ｂと第１位置決め用リブ面１１ａ、１１ｂ、及び押圧用角面２２ａ、２２ｂと第２位置決め用リブ面１２ａ、１２ｂに形成されている押圧用突起１５ａ、１５ｂにより押え込まれることになる。従って、操作パネル１１１の画面表示窓１１１ａに対する液晶表示パネル１１２の表示画面１１２ｆを高精度かつ安定的に位置決め固定することができる。最後に、ネジをパネルフレーム１１４のネジ受け部１１４ｅに通して、操作パネル１１１のネジ固定部１１１ｂに螺合して装着を完了する。
【００３１】
以上のように、本実施形態の装着位置決め構造１０によれば、操作パネル１１１そのものに第１〜第４位置決め用リブ１１、１２、１３、１４を設け、ユニット化された液晶表示パネル１１２を操作パネル１１１に直接装着して第１〜第４位置決め用リブ１１、１２、１３、１４により位置決めするので、従来のように液晶表示パネルを支持する支持部材を介して操作パネルに装着する必要が無くなる。そして、ユニット化された液晶表示パネル１１２の操作パネル１１１に対する組立ばらつきのみを管理するのみで良いので、ユニット化された液晶表示パネル１１２の操作パネル１１１に対する高精度な位置決めを簡易かつ低コストで維持することができる。
【００３２】
また、第１位置決め用リブ１１は、ユニット化された液晶表示パネル１１２が有する１つの角部を位置決め用角部２１として位置決めするので、ユニット化された液晶表示パネル１１２は位置決め用角部２１を構成する２つの位置決め用角面２１ａ、２１ｂで位置決め固定されることになり、ユニット化された液晶表示パネル１１２の位置決め精度を向上させることができる。また、第１位置決め用リブ１１は、位置決め用角部２１を構成する２つの位置決め用角面２１ａ、２１ｂにそれぞれ当接して位置決めする第１位置決め用リブ面１１ａ、１１ｂを備えているので、第１位置決め用リブ１１と位置決め用角部２１は面接触することになり、ユニット化された液晶表示パネル１１２の位置決めを安定させることができる。
【００３３】
また、第２位置決め用リブ１２は、位置決め用角部２１の対角に位置する角部を押圧用角部２２として押圧して位置決めするので、ユニット化された液晶表示パネル１１２は対角方向に両側から固定されることになり、ユニット化された液晶表示パネル１１２の位置決めをより安定させることができる。また、第２位置決め用リブ１２は、押圧用角部２２を構成する２つの押圧用角面２２ａ、２２ｂをそれぞれ押圧して位置決めする押圧用突起１５ａ、１５ｂを備えているので、押圧時に押圧用突起１５ａ、１５ｂの先端を潰して対角方向のばらつきを吸収することができ、ユニット化された液晶表示パネル１１２の位置決め精度をより向上させることができる。
【００３４】
また、ユニット化された液晶表示パネル１１２は、矩形状に形成されており、第３及び第４位置決め用リブ１３、１４は、位置決め用角部２１に隣接する２つの案内用角部２３、２４を構成する４つの案内用角面２３ａ、２３ｂ、２４ａ、２４ｂにそれぞれ所定間隔を空けて対向する第３及び第４位置決め用リブ面１３ａ、１３ｂ、１４ａ、１４ｂを備えているので、矩形状のユニット化された液晶表示パネル１１２の位置決め用角部２１と押圧用角部２２を、第１位置決め用リブ１１と第２位置決め用リブ１２の間に嵌め込む際に、第３及び第４位置決め用リブ面１３ａ、１３ｂ、１４ａ、１４ｂが、案内用角面２３ａ、２３ｂ、２４ａ、２４ｂを案内することになるので、上記嵌め込み動作をスムーズに行うことができ、ユニット化された液晶表示パネル１１２の位置決めを更に安定的かつ高精度にすることができる。
【産業上の利用可能性】
【００３５】
被装着部材を装着部材に対して位置決めして装着するものであれば、液晶表示パネルを操作パネルに装着する場合に限定されるものでは無い。また、操作部を備えた電子機器であれば、例えばファクシミリ装置、コピー装置、スキャナ等の記録装置を含む一般的な電子機器であっても適用可能である。
【図面の簡単な説明】
【００３６】
【図１】本発明の一実施の形態に係る装着位置決め構造を備えた電子機器である記録装置の外観構成の全体を示す斜視図である。
【図２】図１のプリンタの液晶表示パネル等を操作パネルに装着する前の状態を裏側から見た斜視図である。
【図３】図２の液晶表示パネル等を表側から見た斜視図である。
【図４】図１のプリンタの液晶表示パネル等を操作パネルに装着した後の状態を裏側から見た平面図である。
【符号の説明】
【００３７】
１０  装着位置決め構造、１１、１２、１３、１４  位置決めリブ、１５ａ、１５ｂ  押圧用突起、２１、２２、２３、２４  パネル枠角部、１００  インクジェット式プリンタ、１０１  ハウジング、１１０  操作部、１１１  操作パネル、１１１ａ  画面表示窓、１１２  液晶表示パネル、１１２ａ  パネル枠、１１２ｆ  表示画面、１１３  ボタン、１１４  パネルフレーム、１１４ａ  フレーム側面四隅、１２０  メモリカードスロット部、１３０  給紙部、１４０  排紙部
【図１】
2008003304.tif 000003
【図２】
2008003304.tif 000004
【図３】
2008003304.tif 000005
【図４】
2008003304.tif 000006